(57)【要約】【課題】小型、高倍率なズームレンズでありながら、至近被写体の撮影倍率が大きく、無限遠から至近の被写体に対して高性能なズームレンズを提供すること。【解決手段】物体側から像側へ順に正負正負の屈折力を有する４つのレンズ群からなり、広角端から望遠端への変倍に際し、第１レンズ群と第２レンズ群の間隔が広がり、第２レンズ群と第３レンズ群の間隔が狭まり、第３レンズ群と第４レンズ群の間隔が広がり、第１レンズ群は望遠端において、広角端よりも物体側に位置するように移動し、下記条件式を満足することを特徴としている。−０．３＜ｆ４／ｆｔ＜−０．１２．０＜Ｍ４／Ｓｋｗ・ｚ４＜１０．０ただし、ｆ４、Ｍ４、ｚ４はそれぞれ、第４レンズ群の焦点距離、広角端から望遠端にかけての移動量、変倍分担量である。ｆｔは望遠端における全系の焦点距離、Ｓｋｗは広角端において、最像側にある屈折力を有する面から像面までの距離である。【選択図】図１
2020030252.tif 000002
【特許請求の範囲】
【請求項１】
物体側から像側へ順に正の屈折力の第１レンズ群、負の屈折力の第２レンズ群、正の屈折力の第３レンズ群、負の屈折力の第４レンズ群からなり、
広角端から望遠端への変倍に際し、第１レンズ群と第２レンズ群の間隔が広がり、
第２レンズ群と第３レンズ群の間隔が狭まり、第３レンズ群と第４レンズ群の間隔が広がり、
前記第１レンズ群は望遠端に置いて、広角端よりも物体側に位置するように移動し、
下記条件式を満足することを特徴とするズームレンズ。
−０．３＜ｆ４／ｆｔ＜−０．１
２．０＜Ｍ４／Ｓｋｗ・ｚ４＜１０．０
ただし、ｆ４、Ｍ４、ｚ４はそれぞれ、第４レンズ群の焦点距離、広角端から望遠端にかけての移動量、変倍分担量である。ｆｔは望遠端における全系の焦点距離、Ｓｋｗは最像側にある屈折力を有する面から像面までの広角端における距離である。
【請求項２】
下記条件式を満足することを特徴とする請求項１に記載のズームレンズ。
１．５＜ｚ２／ｚ４＜３．５
ただし、ｚ２は第２レンズ群の広角端から望遠端にかけての変倍分担量である。
【請求項３】
下記条件式を満足することを特徴とする請求項１又は請求項２に記載のズームレンズ。
０．３＜ｆ２／ｆ４＜１．１
ただし、ｆ２は第２レンズ群の焦点距離である。
【請求項４】
下記条件式を満足することを特徴とする請求項１乃至請求項３の何れか一項に記載のズームレンズ。
−１．３＜Ｍ２／Ｍ４＜−０．３
ただし、Ｍ２は第２レンズ群の広角端から望遠端にかけての移動量である。
【請求項５】
下記条件式を満足することを特徴とする請求項１乃至請求項４の何れか一項に記載のズームレンズ。
１．０＜Ｍ３／Ｍ４＜１．８
ただし、Ｍ３は第３レンズ群の広角端から望遠端にかけての移動量である。
【請求項６】
下記条件式を満足することを特徴とする請求項１乃至請求項５の何れか一項に記載のズームレンズ。
０．０５＜ｚ４／ｚ＜０．３
ただし、ｚは全系の変倍比（＝ｆｔ／ｆｗ）である。
【請求項７】
通常撮影領域にて無限遠から有限距離まで撮影を行ない、マクロ撮影領域にて有限距離の撮影倍率を変化させるズームレンズにおいて、
通常撮影領域では第４レンズ群を移動させてフォーカスを行い、
マクロ撮影領域では少なくとも第２レンズ群、第３レンズ群を繰り出してフォーカスを行なうことを特徴とする請求項１乃至請求項６の何れか一項に記載のズームレンズ。
【請求項８】
下記条件式を満足することを特徴とする請求項７に記載のズームレンズ。
−１．７＜ｆ２３ｔ／ｆ４＜−０．５
ただし、ｆ２３ｔは第２レンズ群と第３レンズ群の望遠短における合成焦点距離である。
【請求項９】
下記条件式を満足することを特徴とする請求項１乃至請求項８の何れか一項に記載のズームレンズ。
９＜ｆｔ／ｆｗ＜１５
ただし、ｆｗは広角端における全系の焦点距離である。
【請求項１０】
物体側から像側へ順に正の屈折力の第１レンズ群、負の屈折力の第２レンズ群、正の屈折力の第３レンズ群、正の屈折力の第４レンズ群、負の屈折力の第５レンズ群からなり、
広角端から望遠端への変倍に際し、第１レンズ群と第２レンズ群の間隔が広がり、
第２レンズ群と第３レンズ群の間隔が狭まり、第３レンズ群と第４レンズ群の間隔が変化し、第４レンズ群と第５レンズ群の間隔が広がり、
前記第１レンズ群は望遠端に置いて、広角端よりも物体側に位置するように移動し、
下記条件式を満足することを特徴とするズームレンズ。
−０．３＜ｆ５／ｆｔ＜−０．１
２．０＜Ｍ５／Ｓｋｗ・ｚ５＜１０．０
ただし、ｆ５、Ｍ５、ｚ５はそれぞれ、第５レンズ群の焦点距離、広角端から望遠端にかけての移動量、変倍分担量である。ｆｔは望遠端における全系の焦点距離、Ｓｋｗは最像側にある屈折力を有する面から像面までの広角端における距離である。
【請求項１１】
下記条件式を満足することを特徴とする請求項１０に記載のズームレンズ。
１．５＜ｚ２／ｚ５＜３．５
ただし、ｚ２は第２レンズ群の広角端から望遠端にかけての変倍分担量である。
【請求項１２】
下記条件式を満足することを特徴とする請求項１０又は請求項１１に記載のズームレンズ。
０．３＜ｆ２／ｆ５＜１．１
ただし、ｆ２は第２レンズ群の焦点距離である。
【請求項１３】
下記条件式を満足することを特徴とする請求項１０乃至請求項１２の何れか一項に記載のズームレンズ。
−１．３＜Ｍ２／Ｍ５＜−０．３
ただし、Ｍ２は第２レンズ群の広角端から望遠端にかけての移動量である。
【請求項１４】
下記条件式を満足することを特徴とする請求項１０乃至請求項１３の何れか一項に記載のズームレンズ。
１．０＜Ｍ４／Ｍ５＜１．８
ただし、Ｍ４は第３レンズ群の広角端から望遠端にかけての移動量である。
【請求項１５】
下記条件式を満足することを特徴とする請求項１０乃至請求項１４の何れか一項に記載のズームレンズ。
０．０５＜ｚ５／ｚ＜０．３
ただし、ｚは全系の変倍比（＝ｆｔ／ｆｗ）である。
【請求項１６】
通常撮影領域にて無限遠から有限距離まで撮影を行ない、マクロ撮影領域にて有限距離の撮影倍率を変化させるズームレンズにおいて、
Ｂ．通常撮影領域では第４レンズ群を移動させてフォーカスを行い、
Ｃ．マクロ撮影領域では少なくとも第２レンズ群、第３レンズ群、第３レンズ群を繰り出してフォーカスを行なうことを特徴とする請求項１０乃至請求項１５の何れか一項に記載のズームレンズ。
【請求項１７】
下記条件式を満足することを特徴とする請求項１６に記載のズームレンズ。
−１．７＜ｆ２４ｔ／ｆ５＜−０．５
ただし、ｆ２４ｔは第２レンズ群と第３レンズ群の望遠短における合成焦点距離である。
【請求項１８】
下記条件式を満足することを特徴とする請求項１０乃至請求項１７の何れか一項に記載のズームレンズ。
９＜ｆｔ／ｆｗ＜１５
ただし、ｆｗは広角端における全系の焦点距離である。
【発明の詳細な説明】
【技術分野】
【０００１】
本発明は、小型、高倍率なズームレンズ及びこれを用いた撮像装置に関し、特に至近被写体の撮影倍率が大きく、無限遠から至近の被写体に対して高性能なデジタルカメラ等に好適なズームレンズ及び撮像装置に関する。
【背景技術】
【０００２】
近年、固体撮像素子を用いたデジタルスチルカメラ、ビデオカメラ、銀塩フィルム用カメラ等の撮像装置において、高性能かつ装置全体の小型化を図りながら、マクロ撮影等の高機能を実現する撮像装置の要求が高まっている。特に、センサ等の受光素子を大型化することにより小型、高画質であるとともに高機能の両立を訴求する撮像装置の要求が高まっている。これに伴い、これらの撮像装置に用いる光学系としては小型で、結像性能が高く、至近被写体の撮影倍率が大きいズームレンズが要求されている。
【０００３】
受光素子が大きくなると画素ピッチ等も大きくなり、１画素に取り込める光量が増えることから低ノイズ化が可能となり高画質化を狙える。一方、光学系も受光素子に比例して実焦点距離が大きくなる。実焦点距離が大きくなると被写界深度が浅い撮影が可能となる。ただし、全長や光学系の収差も同様に比例倍で大きくなるため、小さい受光素子と同じレンズの大きさで収差を小さく抑えることが困難となり、より小型で高性能な設計が要求される。
【０００４】
また、至近被写体の撮影倍率を大きくするためには、撮影距離を短縮する必要があるが、被写体距離に関しても比例倍で大きくなるため、光学系のフォーカス性能の改善が課題となる。また、単に至近距離を短縮すると撮影距離が小さくなりすぎ、マクロ撮影時のワーキングディスタンスが小さくなって撮影しづらくなるため、光学系の工夫が要求される。
【０００５】
このような課題に対して、正負正負の屈折力を有するレンズからなる変倍光学系が特許文献１、２、３に開示されている。
【先行技術文献】
【特許文献】
【０００６】
【特許文献１】特許第５８３７９３１号公報
【特許文献２】特許第２８７００３５号公報
【特許文献３】特許第４９１１６７９号公報
【発明の概要】
【発明が解決しようとする課題】
【０００７】
しかしながら、上述の特許文献１に開示された従来技術では第４レンズ群の屈折力が強くセンサ入射角がきつくなってしまい、シェーディング等により画質が劣化してしまうという課題がある。また、特許文献２に開示された従来技術では、交換レンズ用の光学系のためバックフォーカスが長く確保されており、全系の大型化が避けられない。また、特許文献３に開示された従来技術では変倍比が小さいという課題がある。
【０００８】
そこで本発明は、小型、高倍率なズームレンズでありながら、至近被写体の撮影倍率が大きく、無限遠から至近の被写体に対して高性能なズームレンズを提供することを目的としている。
【課題を解決するための手段】
【０００９】
上記の目的を達成するために、本発明に係るズームレンズは、物体側から像側へ順に正負正負の屈折力を有する４つのレンズ群からなり、広角端から望遠端への変倍に際し、第１レンズ群と第２レンズ群の間隔が広がり、第２レンズ群と第３レンズ群の間隔が狭まり、第３レンズ群と第４レンズ群の間隔が広がり、第１レンズ群は望遠端において、広角端よりも物体側に位置するように移動し、下記条件式を満足することを特徴としている。
−０．３＜ｆ４／ｆｔ＜−０．１
２．０＜Ｍ４／Ｓｋｗ・ｚ４＜１０．０
ただし、ｆ４、Ｍ４、ｚ４はそれぞれ、第４レンズ群の焦点距離、広角端から望遠端にかけての移動量、変倍分担量である。ｆｔは望遠端における全系の焦点距離、Ｓｋｗは最像側にある屈折力を有する面から像面までの広角端における距離である。
【発明の効果】
【００１０】
本発明によれば、小型、高倍率なズームレンズでありながら、至近被写体の撮影倍率が大きく、無限遠から至近の被写体に対して高性能なズームレンズの提供を実現できる。
【図面の簡単な説明】
【００１１】
【図１】（ａ）（ｂ）（ｃ）  実施例１のズームレンズの通常撮影領域における広角端、中間のズーム位置、望遠端の光学断面図。（ｄ）実施例１のマクロ撮影領域における望遠端の最大撮影倍率撮影時の光学断面図。
【図２】（ａ）（ｂ）（ｃ）  実施例１のズームレンズの通常撮影領域における広角端、中間のズーム位置、望遠端の収差図。（ｄ）実施例１のマクロ撮影領域における望遠端の最大撮影倍率撮影時の収差図。
【図３】（ａ）（ｂ）（ｃ）実施例２のズームレンズの通常撮影領域における広角端、中間のズーム位置、望遠端の光学断面図。（ｄ）実施例２のマクロ撮影領域における望遠端の最大撮影倍率撮影時の光学断面図。
【図４】（ａ）（ｂ）（ｃ）  実施例２のズームレンズの通常撮影領域における広角端、中間のズーム位置、望遠端の収差図。（ｄ）実施例２のマクロ撮影領域における望遠端の最大撮影倍率撮影時の収差図。
【図５】（ａ）（ｂ）（ｃ）  実施例３のズームレンズの通常撮影領域における広角端、中間のズーム位置、望遠端の光学断面図。（ｄ）実施例３のマクロ撮影領域における望遠端の最大撮影倍率撮影時の光学断面図。
【図６】（ａ）（ｂ）（ｃ）  実施例３のズームレンズの通常撮影領域における広角端、中間のズーム位置、望遠端の収差図。（ｄ）実施例３のマクロ撮影領域における望遠端の最大撮影倍率撮影時の収差図。
【図７】（ａ）（ｂ）（ｃ）  実施例４のズームレンズの通常撮影領域における広角端、中間のズーム位置、望遠端の光学断面図。（ｄ）実施例４のマクロ撮影領域における望遠端の最大撮影倍率撮影時の光学断面図。
【図８】（ａ）（ｂ）（ｃ）  実施例４のズームレンズの通常撮影領域における広角端、中間のズーム位置、望遠端の収差図。（ｄ）実施例４のマクロ撮影領域における望遠端の最大撮影倍率撮影時の収差図。
【図９】（ａ）（ｂ）（ｃ）  実施例５のズームレンズの通常撮影領域における広角端、中間のズーム位置、望遠端の光学断面図。（ｄ）実施例５のマクロ撮影領域における望遠端の最大撮影倍率撮影時の光学断面図。
【図１０】（ａ）（ｂ）（ｃ）  実施例５のズームレンズの通常撮影領域における広角端、中間のズーム位置、望遠端の収差図。（ｄ）実施例５のマクロ撮影領域における望遠端の最大撮影倍率撮影時の収差図。
【図１１】（ａ）（ｂ）（ｃ）  実施例６のズームレンズの通常撮影領域における広角端、中間のズーム位置、望遠端の光学断面図。（ｄ）実施例６のマクロ撮影領域における望遠端の最大撮影倍率撮影時の光学断面図。
【図１２】（ａ）（ｂ）（ｃ）  実施例６のズームレンズの通常撮影領域における広角端、中間のズーム位置、望遠端の収差図。（ｄ）実施例６のマクロ撮影領域における望遠端の最大撮影倍率撮影時の収差図。
【図１３】（ａ）（ｂ）（ｃ）  実施例７のズームレンズの通常撮影領域における広角端、中間のズーム位置、望遠端の光学断面図。（ｄ）実施例７のマクロ撮影領域における望遠端の最大撮影倍率撮影時の光学断面図。
【図１４】（ａ）（ｂ）（ｃ）  実施例７のズームレンズの通常撮影領域における広角端、中間のズーム位置、望遠端の収差図。（ｄ）実施例７のマクロ撮影領域における望遠端の最大撮影倍率撮影時の収差図。
【図１５】（ａ）（ｂ）（ｃ）  実施例８のズームレンズの通常撮影領域における広角端、中間のズーム位置、望遠端の光学断面図。（ｄ）実施例８のマクロ撮影領域における望遠端の最大撮影倍率撮影時の光学断面図。
【図１６】（ａ）（ｂ）（ｃ）  実施例８のズームレンズの通常撮影領域における広角端、中間のズーム位置、望遠端の収差図。（ｄ）実施例８のマクロ撮影領域における望遠端の最大撮影倍率撮影時の収差図。
【図１７】本発明の撮像装置の概略図
【発明を実施するための形態】
【００１２】
以下、本発明のズームレンズ及びそれを有する撮像装置について説明する。
【００１３】
本発明の実施例１から５におけるズームレンズは、物体側より順に、正の屈折力の第１レンズ群、負の屈折力の第２レンズ群、正の屈折力の第３レンズ群、負の屈折力の第４レンズ群からなる構成としている。また、本発明の実施例１から５におけるズームレンズは、物体側より順に、正の屈折力の第１レンズ群、負の屈折力の第２レンズ群、正の屈折力の第３レンズ群、正の屈折力の第４レンズ群、負の屈折力の第５レンズ群からなる構成としている。
【００１４】
ここで、本発明における群の定義は、ズーム、フォーカス、防振で移動する最小構成のレンズ群を１つの群と定義する。つまり、群内の一部のレンズでフォーカスを行う部分群フォーカスや、群内の一部のレンズで防振を行う部分群防振と言った、群内の一部を稼動させる光学系に関しては、これを複数の群として説明を行う。実際、上記のような部分群は別のメカ機構に保持されるため、製造上の誤差が所謂群内のレンズよりも大きく発生しやすいため、このような考え方とする。
【００１５】
本発明のズームレンズは、通常撮影領域とマクロ撮影領域を有している。通常撮影領域においては、正の屈折力を有するレンズ群を最物体側に配置したポジティブリードのズームレンズとして機能する。通常これらのズームレンズはカム溝に沿って屈折力を有する複数のレンズ群を光軸方向に移動させることで広角端から望遠端にかけて変倍を行ないながらも結像面の位置を一定に保っている。また、有限距離の被写体に対してはズームレンズの全部または一部のレンズ群をフォーカスレンズ群として光軸方向に繰り出すか又は繰り込むことで結像位置を一定に保っている。
【００１６】
ここで繰り出しとは物体距離変化にともなう像面位置の変動を補償するためにレンズ群が物体側に移動することを言い、物体側への移動量を正の値として定義する。これに対し、物体距離変化にともなう像面位置の変動を補償するためにレンズ群が像側に移動することを繰り込みと言い、像側への移動量を負の値として定義する。フォーカスレンズ群は高速なピント合わせが要求されるため、ステッピングモーター等を使用して電子的に制御されている。
【００１７】
本発明のズームレンズは更に、望遠端の先にマクロ撮影領域を有している。マクロ撮影領域では有限距離の被写体の撮影倍率を変化させ、等倍（物体と同じ大きさに像が写る）を超えた拡大撮影を実現させる。望遠端のカム溝の先にはマクロ撮影領域のカム溝が配置され、通常撮影領域の望遠端にてマクロモードを選択すると、特定のレンズ群がマクロ撮影領域のカム溝に沿って光軸方向に移動して撮影倍率を変化させる。
【００１８】
本発明のズームレンズではマクロ撮影領域にて、最像側に負の屈折力のレンズ群を配置し、これよりも物体側にある、トータルとして正の屈折力のレンズ群を物体側に移動させている。実施例１から５において、トータルとして正の屈折力のレンズ群は第２レンズ群と第３レンズ群である。実施例６から８において、トータルとして正の屈折力のレンズ群は第２レンズ群から第４レンズ群である。
【００１９】
このような正負の配置とすることで、正負レンズ群の屈折力を強めることができ、マクロ撮影領域にて撮影倍率を変化させる際の繰り出し量を小さく抑えることが出来る。この屈折力配置を正正としてしまうと、前群と後群の屈折力を強められず、繰り出し量が大きくなって光学系が大型化してしまう。
【００２０】
正負の屈折力配置とするもう一つのメリットは、全系の主点位置が物体側となることによってワーキングディスタンスを長くできる点にある。負正の屈折力配置としても、屈折力は強められるが、全系の主点位置が像側となるため、物体からレンズの弟１面までの距離が短くなり、撮影自体が難しくなる。
【００２１】
図１（ａ）（ｂ）（ｃ）はそれぞれ実施例１のズームレンズの通常撮影領域における広角端、中間のズーム位置、望遠端のレンズ断面図である。（ｄ）は実施例１のズームレンズのマクロ撮影領域における望遠端の最大撮影倍率撮影時のレンズ断面図である。図２（ａ）（ｂ）（ｃ）はそれぞれ実施例１のズームレンズの通常撮影領域における広角端、中間のズーム位置、望遠端の収差図である。（ｄ）は実施例１のズームレンズのマクロ撮影領域における望遠端の最大撮影倍率撮影時の収差図である。
【００２２】
図３（ａ）（ｂ）（ｃ）はそれぞれ実施例２のズームレンズの通常撮影領域における広角端、中間のズーム位置、望遠端のレンズ断面図である。（ｄ）は実施例２のズームレンズのマクロ撮影領域における望遠端の最大撮影倍率撮影時のレンズ断面図である。図４（ａ）（ｂ）（ｃ）はそれぞれ実施例２のズームレンズの通常撮影領域における広角端、中間のズーム位置、望遠端の収差図である。（ｄ）は実施例２のズームレンズのマクロ撮影領域における望遠端の最大撮影倍率撮影時の収差図である。
【００２３】
図５（ａ）（ｂ）（ｃ）はそれぞれ実施例３のズームレンズの通常撮影領域における広角端、中間のズーム位置、望遠端のレンズ断面図である。（ｄ）は実施例３のズームレンズのマクロ撮影領域における望遠端の最大撮影倍率撮影時のレンズ断面図である。図６（ａ）（ｂ）（ｃ）はそれぞれ実施例３のズームレンズの通常撮影領域における広角端、中間のズーム位置、望遠端の収差図である。（ｄ）は実施例３のズームレンズのマクロ撮影領域における望遠端の最大撮影倍率撮影時の収差図である。
【００２４】
図７（ａ）（ｂ）（ｃ）はそれぞれ実施例４のズームレンズの通常撮影領域における広角端、中間のズーム位置、望遠端のレンズ断面図である。（ｄ）は実施例４のズームレンズのマクロ撮影領域における望遠端の最大撮影倍率撮影時のレンズ断面図である。図８（ａ）（ｂ）（ｃ）はそれぞれ実施例４のズームレンズの通常撮影領域における広角端、中間のズーム位置、望遠端の収差図である。（ｄ）は実施例４のズームレンズのマクロ撮影領域における望遠端の最大撮影倍率撮影時の収差図である。
【００２５】
図９（ａ）（ｂ）（ｃ）はそれぞれ実施例５のズームレンズの通常撮影領域における広角端、中間のズーム位置、望遠端のレンズ断面図である。（ｄ）は実施例５のズームレンズのマクロ撮影領域における望遠端の最大撮影倍率撮影時のレンズ断面図である。図１０（ａ）（ｂ）（ｃ）はそれぞれ実施例５のズームレンズの通常撮影領域における広角端、中間のズーム位置、望遠端の収差図である。（ｄ）は実施例５のズームレンズのマクロ撮影領域における望遠端の最大撮影倍率撮影時の収差図である。
【００２６】
図１１（ａ）（ｂ）（ｃ）はそれぞれ実施例６のズームレンズの通常撮影領域における広角端、中間のズーム位置、望遠端のレンズ断面図である。（ｄ）は実施例６のズームレンズのマクロ撮影領域における望遠端の最大撮影倍率撮影時のレンズ断面図である。図１２（ａ）（ｂ）（ｃ）はそれぞれ実施例６のズームレンズの通常撮影領域における広角端、中間のズーム位置、望遠端の収差図である。（ｄ）は実施例６のズームレンズのマクロ撮影領域における望遠端の最大撮影倍率撮影時の収差図である。
【００２７】
図１３（ａ）（ｂ）（ｃ）はそれぞれ実施例７のズームレンズの通常撮影領域における広角端、中間のズーム位置、望遠端のレンズ断面図である。（ｄ）は実施例７のズームレンズのマクロ撮影領域における望遠端の最大撮影倍率撮影時のレンズ断面図である。図１４（ａ）（ｂ）（ｃ）はそれぞれ実施例７のズームレンズの通常撮影領域における広角端、中間のズーム位置、望遠端の収差図である。（ｄ）は実施例７のズームレンズのマクロ撮影領域における望遠端の最大撮影倍率撮影時の収差図である。
【００２８】
図１５（ａ）（ｂ）（ｃ）はそれぞれ実施例８のズームレンズの通常撮影領域における広角端、中間のズーム位置、望遠端のレンズ断面図である。（ｄ）は実施例８のズームレンズのマクロ撮影領域における望遠端の最大撮影倍率撮影時のレンズ断面図である。図１６（ａ）（ｂ）（ｃ）はそれぞれ実施例８のズームレンズの通常撮影領域における広角端、中間のズーム位置、望遠端の収差図である。（ｄ）は実施例８のズームレンズのマクロ撮影領域における望遠端の最大撮影倍率撮影時の収差図である。
【００２９】
図１７は本発明のズームレンズを備えるカメラ（撮像装置）の要部概略図である、各実施例のズームレンズはビデオカメラやデジタルカメラそして銀塩フィルムカメラ等の撮像装置に用いられる撮影レンズ系である。レンズ断面図において、左方が被写体側（物体側）（前方）で、右方が像側（後方）である。レンズ断面図において、ｉは物体側からのレンズ群の順番を示し、Ｂｉは第ｉレンズ群である。
【００３０】
実施例１から５のレンズ断面図において、Ｂ１は正の屈折力の第１レンズ群、Ｂ２は負の屈折力の第２レンズ群、Ｂ３は正の屈折力の第３レンズ群、Ｂ４は負の屈折力の第４レンズ群である。実施例６から８のレンズ断面図において、Ｂ１は正の屈折力の第１レンズ群、Ｂ２は負の屈折力の第２レンズ群、Ｂ３は正の屈折力の第３レンズ群、Ｂ４は正の屈折力の第４レンズ群、Ｂ５は負の屈折力の第５レンズ群である。
【００３１】
各実施例において、ＳＰは開口絞りであり、第３レンズ群Ｂ３の物体側に配置している。このように開口絞りＳＰを第３レンズ群の物体側に配置することにより、前玉径の小型化を計ることができる。尚、各実施例において開口絞りＳＰは第２レンズ群の像側に配置しても良い。この構成とすると第１レンズ群と第２レンズ群の間に開口絞りのスペースが必要なくなるため、第１レンズ群と第２レンズ群が近づけるのでズーム比を上げやすくなる。
【００３２】
各実施例において、開口絞りＳＰを第２レンズ群と別体で移動させている。このような構成とすることにより、一体で動かす場合と比較して広角端において絞りを上記レンズ群よりも物体側に配置することができるため、広角端における中間像高のフレアをカットすることができるため高性能化に有利である。尚、絞りは第３レンズ群と一体で動かすことも可能であり、一体とすることにより鏡筒構造を簡略化することができる。
ＧＢは光学フィルター、フェースプレート、水晶ローパスフィルター、赤外カットフィルター等に相当する光学ブロックである。ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する感光面が置かれる。
【００３３】
各収差図において、ｄ、ｇは各々ｄ線及びｇ線、ΔＭ，ΔＳはメリディオナル像面、サジタル像面、倍率色収差はｇ線によって表している。ωは半画角（撮影画角の半分の値）、ｆｎｏはＦナンバーである。尚、以下の各実施例において広角端と望遠端は通常撮影領域において変倍用レンズ群が機構上光軸上を移動可能な範囲に位置したときのズーム位置をいう。
【００３４】
実施例１から５において広角端から望遠端への変倍に際し、広角端よりも望遠端で第１レンズ群と第２レンズ群の間隔が広がり、第２レンズ群と第３レンズ群の間隔が狭まり、第３レンズ群と第４レンズ群の間隔が広がるように移動してズームを行う。また、実施例１から５の中間ズーム位置において第３レンズ群と第４レンズ群の間隔を広角端及び望遠端よりも広がるように移動させることにより、中間ズーム位置での像面湾曲を良好に補正している。
【００３５】
各実施例では、通常撮影領域において広角端から望遠端へのズーミングに際して図１、３、５、７、９、１１、１３、１５の矢印のように第１レンズ群、第２レンズ群、第３レンズ群、第４レンズ群、第５レンズ群を移動させている。各実施例では弟１レンズ群は像側へ凸状の軌跡を描いて移動させている。
【００３６】
第１レンズ群は望遠端の方が広角端に比べて物体側に位置するように移動する。これにより、第１レンズ群の屈折力を弱くすることができ、特に望遠端の軸上色収差、コマ収差を良好に補正することが出来る。また、第１レンズ群を広角端に対して中間のズーム位置で一旦像側へ位置するように動かすことにより、前玉径を縮小させることが出来る。
【００３７】
第２レンズ群は像側へ凸状の軌跡を描いて移動させている。第２レンズ群は望遠端の方が広角端に比べて像側に位置するように移動することで、望遠端における第１レンズ群と第２レンズ群の間隔を広げている。これによりマクロ領域において第２レンズ群、弟３レンズ群が一体で物体側へ繰り出す際の移動領域を確保し、最短撮影距離における撮影倍率を大きくすることを可能としている。ただし第１レンズ群と第２レンズ群の間隔を広げすぎると、望遠端において開口絞りから前玉までの距離が大きくなり、前玉径が増大してしまうのでバランスをとる設計が必要となる。
【００３８】
実施例１から５では第３レンズ群、第４レンズ群を物体側へ単調に移動させ、実施例６から８では第３レンズ群、第４レンズ群、第５レンズ群を物体側へ単調に移動させることで、変倍作用を担うとともにコマ収差、像面湾曲をズーム全域で良好に補正している。
【００３９】
各実施例では通常撮影領域の至近物体への合焦に際し、実施例１から５は弟４レンズ群を像側に繰り込むことで合焦を行なっている。実施例６から８は第５レンズ群を像側に繰り込むことで合焦を行なっている。各実施例は、最像側の負群をフォーカス群とした構成としている。広角端から望遠端にかけて負レンズ群を物体側に移動させることにより変倍分担を大きくできる。同時に、フォーカス敏感度を高くすることができるため、フォーカス時の移動量が小さくなり、光学性能のフォーカス変動を小さく抑えることが出来る。ただし、最像側に負レンズ群を配置すると射出瞳が像面に近くなるため、像面への光線入射角度がきつくなるというデメリットがある。像面への光線入射角度がきつくなると、画像の中心部と周辺部で色の違いが発生するいわゆる色シェーディングが問題となる。このため、本発明では第４レンズ群の屈折力を弱くしながら移動量を大きくすることにより、光線入射角度と変倍比を両立させている。
【００４０】
各実施例では、マクロ撮影領域において望遠端の無限遠から最大撮影倍率撮影状態まで撮影倍率を変化させる際に弟２レンズ群、第３レンズ群、第４レンズ群、第４レンズ群を移動させている。第１レンズ群は固定されている。具体的には、実施例１から５では第２レンズ群と第３レンズ群を一体的に物体側へ単調に繰り出している。実施例６から８では第２レンズ群から第４レンズ群を一体的に物体側へ単調に繰り出している。これらのレンズ群は合成焦点距離が正の屈折力を有しており、正群を物体側へ繰り出すことにより、有限距離被写体の撮影倍率を変化させている。本実施例においては、これらのレンズ群を一体的に移動させることにより、鏡筒構造の簡略化を測っているが、上記２つまたは３つの群を別体で移動させてもよい。別体で移動さることにより、繰り出し量を小さくしたり収差を良好に補正したりすることが可能になる。
【００４１】
また、これらのレンズ群はマクロ撮影領域用のカム溝に沿って光軸方向の移動を行なう。このとき第１レンズ群は固定されている。第１レンズ群を固定することにより、通常撮影領域から望遠端の光学全長が伸びないため、光学系の大型化を防ぎ、弟１、弟２レンズ群のスペースを有効に使用することができる。一方第１レンズ群を繰り出せば更に撮影倍率を上げたり、最大撮影倍率撮影時のコマ収差や像面湾曲をを低減させたりすることができる。
【００４２】
実施例１から５において第４レンズ群は負の屈折力を有し、マクロ撮影領域では像側に凸の軌跡で光軸方向に移動している。これにより、弟２、第３レンズ群の繰り出し量を低減させたり、最大撮影倍率撮影時の像面湾曲や倍率色収差を低減させたりすることができる。実施例６から８において第５レンズ群は負の屈折力を有し、マクロ撮影領域では像側に凸の軌跡で光軸方向に移動している。これにより、弟２、弟３、第４レンズ群の繰り出し量を低減させたり、最大撮影倍率撮影時の像面湾曲や倍率色収差を低減させたりすることができる。実施例１から５の第４レンズ群、実施例６から８の第５レンズ群は通常撮影領域においてフォーカス群として機能する。このため、ステッピングモーター等により電子的に制御されており、詳細なピント合わせをこのレンズ群の駆動により行なうことで精度が高く高速に撮影を行なうことができる。
【００４３】
各実施例において正の屈折力の第３レンズ群を光軸に対し垂直方向の成分を持つように移動させて、光軸に対し垂直方向に像を変移させている。これにより光学系（ズームレンズ）全体が振動（傾動）したときの撮影画像のぶれを補正している。各実施例では、可変頂角プリズム等の光学部材や防振のためのレンズ群を新たに付加することなく防振を行うようにし、これによって光学系全体が大型化するのを防止している。
【００４４】
なお、各実施例では第３レンズ群を防振レンズ群として光軸と垂直方向に移動させて防振を行っているが、移動方式は防振レンズ群を光軸に対して垂直方向の成分を持つように移動させれば、画像のぶれを補正することが可能である。例えば鏡筒構造の複雑化を許容すれば、光軸上に回転中心を持つように防振レンズ群を回動させて防振を行っても良い。また、ぶれ補正に関しては第３レンズ群以外にも弟１、弟２、第４レンズ群あるいは複数群や光学系全体を防振レンズ群として光軸に対し垂直方向の成分を持つように移動させても行なえる。ただし、光軸と垂直方向に移動させることによる収差変動や防振レンズ群の重量を加味すると、第３レンズ群よりも像面に近いレンズ群を防振レンズ群とすることが好ましい。
【００４５】
実施例１から５において、第１レンズ群は１枚の負レンズ及び１枚または２枚の正レンズを含む２枚または３枚のレンズにより構成されている。この構成により、望遠端におけるコマ収差を良好に補正している。また、２枚の正レンズには異常分散性の高いレンズを使用することが望ましい。これは望遠端の軸上色収差を良好に補正するために寄与する。
【００４６】
第２レンズ群は２枚の負レンズと１枚の正レンズとを含む３枚のレンズから構成されている。第２レンズ群は３つの単レンズから構成されており、２枚目の負レンズと正レンズの間の空気レンズを使用して広角端における像面湾曲を良好に補正している。また、第２レンズ群の凹レンズに非球面を使用すると像面湾曲と歪曲を良好に補正し、更に高性能化が実現できる。
【００４７】
第３レンズ群は２枚または３枚の正レンズ及び、１枚または２枚の負レンズにより構成されている。正レンズの枚数を増やすことで屈折力を分散して、各レンズにおける製造敏感度を低減させるとともにコマ収差の良好な補正を実現している。また、第３レンズ群に非球面を使用することで、コマ収差の変動を良好に補正することが出来る。さらに、正レンズを先行させることにより、第３レンズ群の主点位置を物体側に配置することが可能となり、望遠端における第２、第３レンズ群終点間隔を小さくすることができるため、変倍に有利となる。
【００４８】
第４レンズ群は１枚または２枚の正レンズと１枚の負レンズを含む２枚または３枚のレンズから構成されている。正レンズの平均屈折率を負レンズのそれよりも小さく、正レンズの平均アッベ数を負レンズのそれよりも小さく設計すると、撮影領域全体における像面湾曲を良好に補正できる。第４レンズ群は通常撮影領域におけるフォーカス群であり、この構成により通常撮影領域における像面湾曲のフォーカス変動を小さく抑えている。望遠端において無限遠物体から近距離物体へフォーカスを行う場合には、図９矢印に示すように弟４レンズ群を繰り込むことによって行っている。第４レンズ群を負の屈折力として配置することにより、マクロ撮影領域の至近被写体に対して撮影倍率を大きくすることを可能としている。
【００４９】
実施例６から８は、実施例１から５の第３レンズ群を２つのレンズ群に分割し、変倍時に独立に動かすことにより、収差を良好に補正している。これらの実施例においては、第３レンズ群と第４レンズ群の間隔を広げており、両群とも物体側に移動させている。これにより望遠端におけるフレア成分をカットして収差を補正している。だたし、第３レンズ群と第４レンズ群の間隔を狭めると、第４レンズ群の変倍作用が大きくなるため、第３レンズ群と第４レンズ群の屈折力を弱めることができる。このため、第３レンズ群と第４レンズ群の間隔を狭めてもよい。
【００５０】
第１レンズ群、第１レンズ群は実施例１から５と同様である。第３レンズ群は２枚の正レンズ及び、１枚負レンズにより構成されている。正レンズの枚数や非球面、郡内の構成に関しては実施例１から５と同様である。第３レンズ群は１枚の正レンズにより構成されている。このレンズを第３レンズ群と別体で動かすことにより、コマ収差、および像面湾曲を補正している。第３レンズ群は実施例１から５の第３レンズ群と同様である。
【００５１】
本発明のポイントは、第４レンズ群の屈折力と移動量を適切に設定することにより、最大撮影倍率撮影時の撮影倍率を大きくするとともに、通常撮影領域の広角端から望遠端にかけての変倍比を大きくすることにある。最大撮影倍率撮影時の撮影倍率を大きくするためには、実施例１から５における第２、第３レンズ群、あるいは実施例６から８における第２、第３、第４レンズ群の屈折力を強めて繰り出し量を小さくする必要がある。前述のようにこれらのレンズ群のトータルの屈折力は正であり、正の屈折力を強めつつ、収差を良好に補正するためには第２レンズ群の屈折力を弱めることが効果的である。しかし、第２レンズ群の屈折力を弱めると、所望の変倍比が稼げなくなり、高倍率なズームレンズの実現が困難となる。このため、本件では不足した変倍分担量を第４レンズ群で補うことにより高倍率を達成している。ただし、第４レンズ群の屈折力を強めてしまうと、前述のように像面への光線入射角度がきつくなってしまう。そこで、本発明では第４レンズ群の屈折力を弱くしながら移動量を大きくすることにより、光線入射角度と変倍比を両立させているということが、本発明のポイントである。
【００５２】
実施例１から５は、物体側から像側へ順に、正負正負の屈折力のレンズ群を有している。第４レンズ群の焦点距離をｆ４、第４レンズ群の広角端から望遠端にかけての移動量をＭ４、第４レンズ群の変倍分担量をｚ４とする。望遠端における全系の焦点距離をｆｔ、最像側にある屈折力を有する面から像面までの広角端における距離をＳｋｗとする時、
−０．３＜ｆ４／ｆｔ＜−０．１                                 ・・・（１）
２．０＜Ｍ４／Ｓｋｗ・ｚ４＜１０．０                      ・・・（２）
なる条件式を満足する。
条件式（１）は第４レンズ群の焦点距離と望遠端における全系の焦点距離の関係を定義した条件式である。条件式（１）の下限を超えて値が小さくなると、望遠端における全系の焦点距離に対して第４レンズ群の屈折力が小さくなるため、所望の変倍比が稼げなくなる。条件式（１）の上限を超えて値が大きくなると、望遠端における全系の焦点距離に対して第４レンズ群の屈折力が大きくなるため、第４レンズ群を出た光線の角度がきつくなり像面への光線入射角度がきつくなってしまう。このため、色シェーディング等の問題が発生する。
【００５３】
条件式（２）は第４レンズ群の角端から望遠端にかけての移動量と最像側にある屈折力を有する面から像面までの広角端における距離の比に第４レンズ群の変倍分担量を乗じた値である。条件式（２）の下限を超えて値が小さくなると、第４レンズ群の移動量が小さくなり、所望の変倍分担量を得ようとすると第４レンズ群の屈折力が強くなりすぎるため、像面への光線入射角度がきつくなってしまう。条件式（２）の上限を超えて値が大きくなると、第４レンズ群の移動量が大きくなため、光学系が大型化する。あるいは、第４レンズ群の変倍分担量が小さくなるため、所望の変倍比が得られなくなるか、第２レンズ群の負の屈折力が強くなり、マクロ撮影領域における繰り出し量が大きくなる。このため、最大撮影倍率撮影時の撮影倍率を大きくすることが困難となる。また、広角端におけるバックフォーカスが小さくなりすぎると、通常撮影領域の広角端におけるフォーカス敏感度が小さくなりすぎてフォーカス性能が低下してしまうという課題もある。
【００５４】
尚、高倍率なズームレンズでありながら、至近被写体の撮影倍率が大きく、無限遠から至近の被写体に対して高性能なズームレンズを得るためにより好ましくは、条件式（１）および条件式（２）の数値範囲を次のごとく設定するのが良い。
−０．２９＜ｆ４／ｆｔ＜−０．１５                    ・・・（１ａ）
２．０＜Ｍ４／Ｓｋｗ・ｚ４＜６．０                    ・・・（２ａ）
更に好ましくは、条件式（１）および条件式（２）の数値範囲を次のごとく設定するのが良い。
−０．２８＜ｆ４／ｆｔ＜−０．１７                    ・・・（１ｂ）
２．０＜Ｍ４／Ｓｋｗ・ｚ４＜５．０                    ・・・（２ｂ）
本発明において、さらに好ましくは次の諸条件のうち１以上を満足することが好ましい。
１．５＜ｚ２／ｚ４＜３．５                            ・・・（３）
０．３＜ｆ２／ｆ４＜１．１                            ・・・（４）
−１．３＜Ｍ２／Ｍ４＜−０．３                        ・・・（５）
１．０＜Ｍ３／Ｍ４＜１．８                            ・・・（６）
０．０５＜ｚ４／ｚ＜０．３                            ・・・（７）
−１．７＜ｆ２３ｔ／ｆ４＜−０．５                    ・・・（８）
９＜ｆｔ／ｆｗ＜１５                                  ・・・（９）
ただし、ｚ２は第２レンズ群の広角端から望遠端にかけての変倍分担量、ｆ２は第２レンズ群の焦点距離、Ｍ２は第２レンズ群の広角端から望遠端にかけての移動量である。また、Ｍ３は第３レンズ群の広角端から望遠端にかけての移動量である、また、ｆｗは広角端における全系の焦点距離、ｚは全系の変倍比（＝ｆｔ／ｆｗ）である。また、ｆ２３ｔは第２レンズ群と第３レンズ群の望遠端における合成焦点距離である。
【００５５】
条件式（３）は第２レンズ群の変倍分担量と第４レンズ群の変倍分担量の比を規定したものである。条件式（３）の下限を超えると第４レンズ群の変倍分担量が第２レンズ群の変倍分担量にくらべて大きくなりすぎるため、像面への光線入射角度がきつくなってしまうか、収差補正が困難となる。条件式（３）の上限値を超えると、第２レンズ群の変倍分担量が第４レンズ群の変倍分担量にくらべて大きくなりすぎる。このため、第２レンズ群の負の屈折力が強くなり、マクロ撮影領域における繰り出し量が大きくなるため、最大撮影倍率撮影時の撮影倍率を大きくすることが困難となる。
【００５６】
条件式（４）は第２レンズ群の焦点距離と第４レンズ群の焦点距離の比を規定したものである。条件式（４）の下限を超えると第２レンズ群の焦点距離が第４レンズ群の焦点距離に対して小さくなりすぎる。このため、第２レンズ群の負の屈折力が強くなり、マクロ撮影領域における繰り出し量が大きくなるため、最大撮影倍率撮影時の撮影倍率を大きくすることが困難となる。条件式（４）の上限値を超えると、第４レンズ群の焦点距離が第２レンズ群の焦点距離に対して小さくなりすぎる。このため、像面への光線入射角度がきつくなってしまうか、収差補正が困難となり良くない。
【００５７】
条件式（５）は第２レンズ群の広角端から望遠端にかけての移動量と第４レンズ群の広角端から望遠端にかけての移動量の比を規定したものである。条件式（５）の下限を超えると第４レンズ群の移動量が第２レンズ群の移動量に対して小さくなる。第４レンズ群の移動量が小さくなると、所望の変倍分担量を得ようとした時、第４レンズ群の屈折力が強くなりすぎるため、像面への光線入射角度がきつくなってしまう。条件式（５）の上限値を超えると、第２レンズ群の移動量が第４レンズ群の移動量に対して小さくなる。第２レンズ群の移動量が小さくなると、所望の変倍分担量を得ようとした時、第２レンズ群の屈折力が強くなりすぎる。このため、マクロ撮影領域における繰り出し量が大きくなり最大撮影倍率撮影時の撮影倍率を大きくすることが困難となる。
【００５８】
条件式（６）は第３レンズ群の広角端から望遠端にかけての移動量と第４レンズ群の広角端から望遠端にかけての移動量の比を規定したものである。条件式（６）の下限を超えると第３レンズ群の移動量が第４レンズ群の移動量に対して小さくなる。第３レンズ群の移動量が減ると、第３レンズ群による変倍分担が減るため、第４レンズ群あるいは第２レンズ群の変倍分担が大きくなりすぎる。このため、第４レンズ群の変倍分担が大きくなると、前述のように像面への光線入射角度がきつくなってしまう。あるいは第２レンズ群の変倍分担が大きくなると、前述のように最大撮影倍率撮影時の撮影倍率を大きくすることが困難となる。条件式（６）の上限値を超えると、第４レンズ群の移動量が第３レンズ群の移動量に対して小さくなる。第４レンズ群の移動量が小さくなると、所望の変倍分担量を得ようとした時、第４レンズ群の屈折力が強くなりすぎるため、像面への光線入射角度がきつくなってしまう。
【００５９】
条件式（７）は第４レンズ群の変倍分担量が全系の変倍比に閉める割合を規定した条件式である。条件式（７）の下限を超えると第４レンズ群の変倍分担が小さくなりすぎ、所望の変倍比を得られなくなる。あるいは、第２レンズ群の変倍分担が大きくなるため、前述のようにマクロ撮影領域における繰り出し量が大きくなり最大撮影倍率撮影時の撮影倍率を大きくすることが困難となる。条件式（７）の上限値を超えると、第４レンズ群の変倍分担が大きくなりすぎ、前述のように像面への光線入射角度がきつくなってしまう。
【００６０】
条件式（８）は第２レンズ群と第３レンズ群の望遠端における合成焦点距離と第４レンズ群の焦点距離の比を規定した式である。条件式（８）の下限を超えると第２レンズ群と第３レンズ群の望遠端における合成焦点距離が第４レンズ群の焦点距離に対して大きくなる。このため、マクロ撮影領域における第２レンズ群と第３レンズ群の繰り出し量が大きくなり、最大撮影倍率撮影時の撮影倍率を大きくすることが困難となる。条件式（８）の上限値を超えると、第２レンズ群と第３レンズ群の望遠端における合成焦点距離が第４レンズ群の焦点距離に対して小さくなる。第２レンズ群と第３レンズ群の望遠端における合成焦点距離が小さくなると、第２レンズ群の屈折力が小さくなくため、所望の変倍比を得られなくなるか、第４レンズ群の変倍分担が大きくなり、像面への光線入射角度がきつくなってしまう。
【００６１】
条件式（９）は望遠端の全系における焦点距離と広角端の全系における焦点距離の比を規定した条件式であり、全系の変倍比を規定した式である。条件式（９）は本発明の効果を得るために好ましい変倍比を規定したものである。下限を超えると所望の変倍比が得られず、上限を超えると像面への光線入射角度がきつくなるか、マクロ撮影領域における最大撮影倍率撮影時の撮影倍率を大きくすることが困難となる。
尚より好ましくは、条件式（３）から（９）の数値範囲を次のごとく設定するのが良い。
１．６＜ｚ２／ｚ４＜３．２                            ・・・（３ａ）
０．４＜ｆ２／ｆ４＜０．８                            ・・・（４ａ）
−１．３＜Ｍ２／Ｍ４＜−０．５                        ・・・（５ａ）
１．０＜Ｍ３／Ｍ４＜１．５                            ・・・（６ａ）
０．０８＜ｚ４／ｚ＜０．２                            ・・・（７ａ）
−１．４＜ｆ２３ｔ／ｆ４＜−０．８                    ・・・（８ａ）
９＜ｆｔ／ｆｗ＜１４                                  ・・・（９ａ）
実施例６から８は、物体側から像側へ順に、正負正正負の屈折力のレンズ群を有している。実施例６から８は実施例１から５の第３レンズ群を分割して別体で移動させた実施例であり、条件式の効果は上記の説明と同様である。
【００６２】
第４レンズ群の焦点距離をｆ５、第４レンズ群の広角端から望遠端にかけての移動量をＭ５、第４レンズ群の変倍分担量をｚ５とする。望遠端における全系の焦点距離をｆｔ、最像側にある屈折力を有する面から像面までの広角端における距離をＳｋｗとする時、
−０．３＜ｆ５／ｆｔ＜−０．１                        ・・・（１０）
２．０＜Ｍ５／Ｓｋｗ・ｚ５＜１０．０                  ・・・（１１）
なる条件式を満足する。
【００６３】
条件式（１０）は第４レンズ群の焦点距離と望遠端における全系の焦点距離の関係を定義した条件式である。条件式（１０）の下限を超えて値が小さくなると、望遠端における全系の焦点距離に対して第４レンズ群の屈折力が小さくなるため、所望の変倍比が稼げなくなる。条件式（１０）の上限を超えて値が大きくなると、望遠端における全系の焦点距離に対して第４レンズ群の屈折力が大きくなるため、第４レンズ群を出た光線の角度がきつくなり像面への光線入射角度がきつくなってしまう。このため、色シェーディング等の問題が発生する。
【００６４】
条件式（１１）は第４レンズ群の角端から望遠端にかけての移動量と最像側にある屈折力を有する面から像面までの広角端における距離の比に第４レンズ群の変倍分担量を乗じた値である。条件式（１１）の下限を超えて値が小さくなると、第４レンズ群の移動量が小さくなり、所望の変倍分担量を得ようとすると第４レンズ群の屈折力が強くなりすぎるため、像面への光線入射角度がきつくなってしまう。条件式（１１）の上限を超えて値が大きくなると、第４レンズ群の移動量が大きくなため、光学系が大型化する。あるいは、第４レンズ群の変倍分担量が小さくなるため、所望の変倍比が得られなくなるか、第２レンズ群の負の屈折力が強くなり、マクロ撮影領域における繰り出し量が大きくなる。このため、最大撮影倍率撮影時の撮影倍率を大きくすることが困難となる。また、広角端におけるバックフォーカスが小さくなりすぎると、通常撮影領域の広角端におけるフォーカス敏感度が小さくなりすぎてフォーカス性能が低下してしまうという課題もある。
【００６５】
尚、高倍率なズームレンズでありながら、至近被写体の撮影倍率が大きく、無限遠から至近の被写体に対して高性能なズームレンズを得るためにより好ましくは、条件式（１０）および条件式（１１）の数値範囲を次のごとく設定するのが良い。
−０．２９＜ｆ５／ｆｔ＜−０．１５                    ・・・（１０ａ）
２．０＜Ｍ５／Ｓｋｗ・ｚ５＜６．０                    ・・・（１１ａ）
更に好ましくは、条件式（１）および条件式（２）の数値範囲を次のごとく設定するのが良い。
−０．２８＜ｆ５／ｆｔ＜−０．１７                    ・・・（１０ｂ）
２．０＜Ｍ５／Ｓｋｗ・ｚ５＜５．０                    ・・・（１１ｂ）
本発明において、さらに好ましくは次の諸条件のうち１以上を満足することが好ましい。
１．５＜ｚ２／ｚ５＜３．５                            ・・・（１２）
０．３＜ｆ２／ｆ５＜１．１                            ・・・（１３）
−１．３＜Ｍ２／Ｍ５＜−０．３                        ・・・（１４）
１．０＜Ｍ４／Ｍ５＜１．８                            ・・・（１５）
０．０５＜ｚ５／ｚ＜０．３                            ・・・（１６）
−１．７＜ｆ２４ｔ／ｆ５＜−０．５                    ・・・（１７）
９＜ｆｔ／ｆｗ＜１５                                  ・・・（１８）
ただし、ｚ２は第２レンズ群の広角端から望遠端にかけての変倍分担量、ｆ２は第２レンズ群の焦点距離、Ｍ２は第２レンズ群の広角端から望遠端にかけての移動量である。また、Ｍ４は第３レンズ群の広角端から望遠端にかけての移動量である、また、ｆｗは広角端における全系の焦点距離、ｚは全系の変倍比（＝ｆｔ／ｆｗ）である。また、ｆ２４ｔは第２レンズ群と第３レンズ群の望遠端における合成焦点距離である。
【００６６】
条件式（１２）は第２レンズ群の変倍分担量と第４レンズ群の変倍分担量の比を規定したものである。条件式（１２）の下限を超えると第４レンズ群の変倍分担量が第２レンズ群の変倍分担量にくらべて大きくなりすぎるため、像面への光線入射角度がきつくなってしまうか、収差補正が困難となる。条件式（１２）の上限値を超えると、第２レンズ群の変倍分担量が第４レンズ群の変倍分担量にくらべて大きくなりすぎる。このため、第２レンズ群の負の屈折力が強くなり、マクロ撮影領域における繰り出し量が大きくなるため、最大撮影倍率撮影時の撮影倍率を大きくすることが困難となる。
【００６７】
条件式（１３）は第２レンズ群の焦点距離と第４レンズ群の焦点距離の比を規定したものである。条件式（１３）の下限を超えると第２レンズ群の焦点距離が第４レンズ群の焦点距離に対して小さくなりすぎる。このため、第２レンズ群の負の屈折力が強くなり、マクロ撮影領域における繰り出し量が大きくなるため、最大撮影倍率撮影時の撮影倍率を大きくすることが困難となる。条件式（１３）の上限値を超えると、第４レンズ群の焦点距離が第２レンズ群の焦点距離に対して小さくなりすぎる。このため、像面への光線入射角度がきつくなってしまうか、収差補正が困難となり良くない。
【００６８】
条件式（１４）は第２レンズ群の広角端から望遠端にかけての移動量と第４レンズ群の広角端から望遠端にかけての移動量の比を規定したものである。条件式（１４）の下限を超えると第４レンズ群の移動量が第２レンズ群の移動量に対して小さくなる。第４レンズ群の移動量が小さくなると、所望の変倍分担量を得ようとした時、第４レンズ群の屈折力が強くなりすぎるため、像面への光線入射角度がきつくなってしまう。条件式（１４）の上限値を超えると、第２レンズ群の移動量が第４レンズ群の移動量に対して小さくなる。第２レンズ群の移動量が小さくなると、所望の変倍分担量を得ようとした時、第２レンズ群の屈折力が強くなりすぎる。このため、マクロ撮影領域における繰り出し量が大きくなり最大撮影倍率撮影時の撮影倍率を大きくすることが困難となる。
【００６９】
条件式（１５）は第３レンズ群の広角端から望遠端にかけての移動量と第４レンズ群の広角端から望遠端にかけての移動量の比を規定したものである。条件式（１５）の下限を超えると第３レンズ群の移動量が第４レンズ群の移動量に対して小さくなる。第３レンズ群の移動量が減ると、第３レンズ群による変倍分担が減るため、第４レンズ群あるいは第２レンズ群の変倍分担が大きくなりすぎる。このため、第４レンズ群の変倍分担が大きくなると、前述のように像面への光線入射角度がきつくなってしまう。あるいは第２レンズ群の変倍分担が大きくなると、前述のように最大撮影倍率撮影時の撮影倍率を大きくすることが困難となる。条件式（１５）の上限値を超えると、第４レンズ群の移動量が第３レンズ群の移動量に対して小さくなる。第４レンズ群の移動量が小さくなると、所望の変倍分担量を得ようとした時、第４レンズ群の屈折力が強くなりすぎるため、像面への光線入射角度がきつくなってしまう。
【００７０】
条件式（１６）は第４レンズ群の変倍分担量が全系の変倍比に閉める割合を規定した条件式である。条件式（１６）の下限を超えると第４レンズ群の変倍分担が小さくなりすぎ、所望の変倍比を得られなくなる。あるいは、第２レンズ群の変倍分担が大きくなるため、前述のようにマクロ撮影領域における繰り出し量が大きくなり最大撮影倍率撮影時の撮影倍率を大きくすることが困難となる。条件式（１６）の上限値を超えると、第４レンズ群の変倍分担が大きくなりすぎ、前述のように像面への光線入射角度がきつくなってしまう。
【００７１】
条件式（１７）は第２レンズ群と第３レンズ群の望遠端における合成焦点距離と第４レンズ群の焦点距離の比を規定した式である。条件式（１７）の下限を超えると第２レンズ群と第３レンズ群の望遠端における合成焦点距離が第４レンズ群の焦点距離に対して大きくなる。このため、マクロ撮影領域における第２レンズ群と第３レンズ群の繰り出し量が大きくなり、最大撮影倍率撮影時の撮影倍率を大きくすることが困難となる。条件式（１７）の上限値を超えると、第２レンズ群と第３レンズ群の望遠端における合成焦点距離が第４レンズ群の焦点距離に対して小さくなる。第２レンズ群と第３レンズ群の望遠端における合成焦点距離が小さくなると、第２レンズ群の屈折力が小さくなくため、所望の変倍比を得られなくなるか、第４レンズ群の変倍分担が大きくなり、像面への光線入射角度がきつくなってしまう。
【００７２】
条件式（１８）は望遠端の全系における焦点距離と広角端の全系における焦点距離の比を規定した条件式であり、全系の変倍比を規定した式である。条件式（１８）は本発明の効果を得るために好ましい変倍比を規定したものである。下限を超えると所望の変倍比が得られず、上限を超えると像面への光線入射角度がきつくなるか、マクロ撮影領域における最大撮影倍率撮影時の撮影倍率を大きくすることが困難となる。
尚より好ましくは、条件式（１２）から（１８）の数値範囲を次のごとく設定するのが良い。
１．６＜ｚ２／ｚ５＜３．２                            ・・・（１２ａ）
０．４＜ｆ２／ｆ５＜０．８                            ・・・（１３ａ）
−１．３＜Ｍ２／Ｍ５＜−０．５                        ・・・（１４ａ）
１．０＜Ｍ４／Ｍ５＜１．５                            ・・・（１５ａ）
０．０８＜ｚ５／ｚ＜０．２                            ・・・（１６ａ）
−１．４＜ｆ２４ｔ／ｆ５＜−０．８                    ・・・（１７ａ）
９＜ｆｔ／ｆｗ＜１４                                  ・・・（１８ａ）
次に、本発明の実施例１〜８に各々対応する数値実施例１〜８を示す。各数値実施例においてｉは物体側からの光学面の順序を示す。ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。また、ｋを離心率、Ａ４、Ａ６、Ａ８、Ａ１０を非球面係数、光軸からの高さｈの位置での光軸方向の変位を面頂点を基準にしてｘとするとき、非球面形状は、
ｘ＝（ｈ２／Ｒ）／［１＋［１−（１＋ｋ）（ｈ／Ｒ）２］１／２］＋Ａ４ｈ４
＋Ａ６ｈ６＋Ａ８ｈ８＋Ａ１０ｈ１０
で表示される。但しＲは近軸曲率半径である。また、例えば「Ｅ−Ｚ」の表示は「１０−Ｚ」を意味する。数値実施例において最後の２つの面は、フィルター、フェースプレート等の光学ブロックの面である。各実施例において、バックフォーカス（ＢＦ）は屈折力を有する最像側レンズ群の最像側面から近軸像面までの空気換算での距離である。また、物体位置は光学系の前玉からの距離であり、マクロ領域における焦点距離はこの物体距離にある被写体に対してピントを合わせた状態の全系の焦点距離である。各数値実施例における上述した条件式との対応を表１に示す。
【００７３】
（数値実施例１）
面データ
面番号       r        d      nd         vd       有効径
1         39.863    1.20   2.00100    29.1       29.60
2         26.800    4.25   1.49700    81.5       28.30
3        105.213    0.05                         28.00
4         35.416    3.51   1.69680    55.5       27.60
5        694.456  (可変)                         27.20
6        514.786    0.80   1.85135    40.1       17.10
7*         8.888    4.94                         12.90
8        -12.609    0.60   1.80400    46.6       12.40
9        -42.162    0.10                         12.70
10         40.828    1.60   1.98738    16.4       12.80
11        -97.280  (可変)                         12.70
12(絞り)    ∞     (可変)                          8.74
13*         8.208    2.89   1.58313    59.4        9.70
14*       -37.758    2.15                          9.30
15         16.679    0.50   2.05090    26.9        7.70
16          7.239    2.06                          7.20
17         11.819    2.25   1.43875    94.7        7.30
18        -11.677  (可変)                          7.60
19        -48.501    2.03   1.51823    58.9        9.30
20        -10.917    0.98                          9.50
21        -11.714    0.55   1.88300    40.8        9.30
22         13.381    0.50                         10.00
23         19.242    2.00   1.80810    22.8       10.60
24        -66.840  (可変)                         11.10
25          ∞       0.80   1.51633    64.1       30.00
26          ∞     (可変)                         30.00
像面        ∞   
非球面データ
第7面
K = 2.27700e-001  A 4=-5.86655e-005  A 6=-5.85165e-007  A 8=-1.34933e-008  
第13面
K = 7.15316e-002  A 4=-1.77315e-004  A 6=-6.95858e-007  A 8= 3.51701e-009  A10=-6.45667e-010  
第14面
K = 0.00000e+000  A 4= 2.00934e-004  A 6=-8.64251e-008  
各種データ
ズーム比      9.47 
焦点距離       9.06    36.44    85.80    15.11  
Fナンバー      2.88     4.14     5.47     5.47  
画角          36.50    12.22     5.25     5.25  
像高           6.71     7.89     7.89     7.89  
レンズ全長    67.10    73.92    85.77    85.77  
BF             7.96     8.74    20.67    17.24  
倍率          -0.00    -0.00    -0.00    -1.70  
物体距離       ∞       ∞       ∞     -21.19  
d 5            0.50    17.99    25.94     0.50  
d11           18.98     2.91     0.50     0.50  
d12            2.54     1.39     0.25     0.25  
d18            4.15     9.91     5.44    34.31  
d24            6.43     7.21    19.14    15.71  
d26            1.00     1.00     1.00     1.00  
(数値実施例２)
面データ
面番号       r        d      nd         vd       有効径
1         86.701    1.20   2.00100    29.1       29.70
2         44.899    3.42   1.49700    81.5       29.00
3        671.616    0.05                         28.90
4         50.409    2.91   1.77250    49.6       28.50
5       12418.778  (可変)                         28.20
6       1651.315    0.80   1.85135    40.1       19.50
7*        11.028    5.42                         15.10
8        -16.855    0.60   1.83481    42.7       14.80
9        -61.060    0.10                         15.20
10         38.454    1.60   1.98738    16.4       15.40
11       -190.582  (可変)                         15.30
12(絞り)    ∞     (可変)                          9.18
13*         8.934    2.98   1.58313    59.4        9.90
14*       -28.145    1.52                          9.60
15         16.740    1.80   1.67270    32.1        8.30
16        -16.578    0.50   2.00100    29.1        7.90
17          8.134    2.52                          7.30
18         15.969    2.33   1.49700    81.5        7.90
19        -11.011  (可変)                          8.30
20        -70.827    2.04   1.59270    35.3        9.00
21        -11.284    1.38                          9.20
22         -9.957    0.55   1.88300    40.8        8.90
23         16.509    0.50                          9.60
24         24.764    1.60   1.80810    22.8       10.00
25       -139.604  (可変)                         10.50
26          ∞       0.80   1.51633    64.1       30.00
27          ∞     (可変)                         30.00
像面        ∞   
非球面データ
第7面
K = 3.77936e-001  A 4=-3.53255e-005  A 6=-4.95812e-009  A 8=-3.43653e-009  
第13面
K = 1.66819e-001  A 4=-1.45606e-004  A 6=-1.38472e-007  A 8=-1.23497e-008  A10=-8.00184e-011  
第14面
K = 0.00000e+000  A 4= 1.46675e-004  A 6= 5.11965e-008  
各種データ
ズーム比      9.47 
焦点距離       9.06    49.76    85.80    12.04  
Fナンバー      2.88     4.65     5.76     5.76  
画角          36.50     9.01     5.25     5.25  
像高           6.71     7.89     7.89     7.89  
レンズ全長    72.09    87.16    96.22    96.22  
BF             5.80    12.00    18.78    20.35  
倍率          -0.00    -0.00    -0.00    -2.50  
物体距離       ∞       ∞       ∞     -18.61  
d 5            0.50    27.73    34.41     0.49  
d11           24.52     2.49     0.30     0.30  
d12            2.22     1.43     0.64     0.64  
d19            5.23     9.69     8.27    40.61  
d25            4.27    10.47    17.25    18.82  
d27            1.00     1.00     1.00     1.00  
(数値実施例３)
面データ
面番号       r        d      nd         vd       有効径
1         32.689    1.10   2.00100    29.1       27.80
2         23.849    5.28   1.58313    59.4       26.70
3      -2000.276  (可変)                         26.20
4          ∞       0.80   1.90043    37.4       21.30
5         11.236    5.26                         16.60
6*       -30.632    0.70   1.85135    40.1       16.40
7        299.337    0.09                         16.60
8         27.127    2.10   1.95906    17.5       16.90
9        982.171  (可変)                         16.80
10(絞り)    ∞     (可変)                          9.98
11*        10.501    2.76   1.58313    59.4       10.40
12*       -41.234    0.18                         10.20
13          8.257    2.38   1.51742    52.4        9.40
14        192.537    0.50   1.95375    32.3        8.70
15          7.456    3.92                          7.80
16         17.769    0.50   2.05023    27.0        7.90
17         10.926    2.18   1.57099    50.8        7.80
18        -19.231  (可変)                          8.10
19        -34.990    1.77   1.76182    26.5        9.30
20        -11.327    1.38                          9.50
21*        -9.707    0.55   1.85135    40.1        9.20
22        108.178  (可変)                          9.90
23          ∞       0.80   1.51633    64.1       30.00
24          ∞     (可変)                         30.00
像面        ∞   
非球面データ
第6面
K = 5.60558e+000  A 4= 2.49763e-005  A 6=-2.55262e-008  A 8= 1.37146e-009  
第11面
K =-4.65630e+000  A 4= 4.23581e-004  A 6=-5.02220e-006  A 8= 7.26674e-008  A10=-4.29949e-010  
第12面
K = 0.00000e+000  A 4= 5.27501e-005  A 6= 2.48310e-007  
第21面
K = 1.29615e+000  A 4= 1.63119e-004  A 6=-1.41213e-007  A 8= 2.73709e-007  A10=-3.48233e-009  
各種データ
ズーム比      9.47 
焦点距離       9.06    38.89    85.80    14.19  
Fナンバー      2.65     4.11     5.77     5.77  
画角          36.50    11.47     5.25     5.25  
像高           6.71     7.89     7.89     7.89  
レンズ全長    72.86    80.73    94.18    94.18  
BF             5.68    10.04    19.87    14.12  
倍率          -0.00    -0.00    -0.00    -1.70  
物体距離       ∞       ∞       ∞     -31.92  
d 3            0.50    22.90    33.31     0.49  
d 9           27.05     3.89     0.50     0.50  
d10            2.35     1.40    -0.25    -0.25  
d18            5.82    11.05     9.30    47.86  
d22            4.15     8.51    18.35    12.59  
d24            1.00     1.00     1.00     1.00  
(数値実施例４)
面データ
面番号       r        d      nd         vd       有効径
1         58.912    1.20   2.00100    29.1       33.60
2         37.292    4.09   1.49700    81.5       32.70
3        162.800    0.05                         32.50
4         46.055    3.47   1.72916    54.7       32.20
5        493.417  (可変)                         31.90
6        389.236    0.80   1.85135    40.1       22.40
7*        10.878    6.71                         17.00
8        -16.529    0.60   1.69680    55.5       16.70
9        -47.137    0.10                         17.20
10         41.423    1.80   1.98738    16.4       17.40
11      -1921.587  (可変)                         17.30
12(絞り)    ∞     (可変)                         10.69
13*         9.562    3.36   1.49710    81.6       11.60
14*       -42.693    3.40                         11.20
15         16.390    2.54   1.72825    28.5        9.20
16        -11.592    0.50   2.00100    29.1        8.60
17          9.014    1.62                          7.90
18         13.423    2.37   1.53775    74.7        8.50
19        -14.361  (可変)                          8.80
20        -69.008    2.06   1.59270    35.3       10.70
21        -12.095    1.37                         10.90
22        -10.796    0.55   1.88300    40.8       10.40
23         24.307    0.50                         11.20
24         40.095    2.00   1.80810    22.8       11.50
25       -112.638  (可変)                         12.20
26          ∞       0.80   1.51633    64.1       30.00
27          ∞     (可変)                         30.00
像面        ∞   
非球面データ
第7面
K = 9.37796e-002  A 4=-2.92580e-005  A 6=-3.21307e-007  A 8= 3.15250e-009  A10=-3.89792e-011  
第13面
K =-9.02934e-003  A 4=-6.92752e-005  A 6=-2.17261e-007  A 8= 3.20148e-010  A10=-4.32104e-011  
第14面
K = 0.00000e+000  A 4= 7.52782e-005  A 6=-3.29926e-008  
各種データ
ズーム比     13.25 
焦点距離       9.06    45.00   120.10    15.66  
Fナンバー      2.86     4.25     5.77     5.77  
画角          36.50     9.94     3.76     3.76  
像高           6.71     7.89     7.89     7.89  
レンズ全長    87.71    92.89   107.94   107.94  
BF             7.33     8.94    21.68    15.00  
倍率          -0.00    -0.00    -0.00    -1.70  
物体距離       ∞       ∞       ∞     -32.44  
d 5            0.49    25.37    38.15     0.49  
d11           31.72     6.20     0.30     0.30  
d12            4.63     0.25     0.54     0.54  
d19            4.44    13.03     8.17    52.51  
d25            5.80     7.41    20.15    13.47  
d27            1.00     1.00     1.00     1.00  
(数値実施例５)
面データ
面番号       r        d      nd         vd       有効径
1         69.119    1.20   2.00100    29.1       31.50
2         34.722    3.94   1.49700    81.5       30.30
3        161.336    0.05                         30.20
4         44.093    3.56   1.80400    46.6       30.00
5      -1621.874  (可変)                         29.70
6        620.124    0.80   1.85135    40.1       20.60
7*        12.168    5.04                         16.00
8        -24.094    0.60   1.83481    42.7       15.70
9        199.651    0.10                         15.70
10         28.181    1.80   1.98738    16.4       15.80
11        348.365  (可変)                         15.70
12(絞り)    ∞     (可変)                          8.20
13*         8.240    2.50   1.58313    59.4        9.10
14*       -33.189    1.63                          8.80
15         12.864    1.80   1.60342    38.0        7.30
16        -38.382    0.50   2.05023    27.0        6.60
17          7.529    2.92                          6.00
18         17.141    2.22   1.57135    53.0        8.50
19        -15.017  (可変)                          8.80
20         90.836    1.96   1.69895    30.1        9.40
21        -14.344    1.47                          9.40
22        -10.894    0.55   1.88300    40.8        8.80
23         25.927  (可変)                          9.20
24          ∞       0.80   1.51633    64.1       30.00
25          ∞     (可変)                         30.00
像面        ∞   
非球面データ
第7面
K = 5.78585e-001  A 4=-2.54758e-005  A 6= 7.40814e-008  A 8=-3.17011e-009  
第13面
K =-2.67118e-001  A 4=-1.17279e-004  A 6= 5.59291e-007  A 8=-2.15103e-008  A10= 4.19626e-010  
第14面
K = 0.00000e+000  A 4= 9.08961e-005  A 6= 3.22840e-007  
各種データ
ズーム比      9.47 
焦点距離       9.06    48.67    85.80    13.58  
Fナンバー      2.88     4.54     5.62     5.62  
画角          36.50     9.21     5.25     5.25  
像高           6.71     7.89     7.89     7.89  
レンズ全長    70.11    82.57    89.37    89.37  
BF             6.69    11.63    18.43    15.41  
倍率          -0.00    -0.00    -0.00    -1.70  
物体距離       ∞       ∞       ∞     -28.27  
d 5            0.38    27.51    33.79     0.44  
d11           23.26     2.78     0.50     0.50  
d12            3.45     1.16    -0.25    -0.25  
d19            3.69     6.86     4.26    40.64  
d23            5.17    10.10    16.91    13.88  
d25            1.00     1.00     1.00     1.00  
(数値実施例６)
面データ
面番号       r        d      nd         vd       有効径
1         71.657    1.20   2.00100    29.1       29.80
2         35.277    3.61   1.49700    81.5       28.50
3        182.800    0.05                         28.40
4         41.391    3.19   1.82305    45.2       28.20
5        697.377  (可変)                         27.90
6        541.280    0.80   1.85135    40.1       19.90
7*        10.591    5.52                         15.40
8        -18.239    0.60   1.86040    38.5       15.10
9       -100.442    0.10                         15.40
10         43.426    1.80   1.98738    16.4       15.60
11        -92.889  (可変)                         15.60
12(絞り)    ∞     (可変)                          9.41
13*         8.863    3.27   1.49927    61.4       10.60
14*       -27.820    1.94                         10.20
15         15.217    2.37   1.81764    31.2        8.50
16        -11.672    0.50   2.00100    29.1        7.90
17          7.899  (可変)                          7.20
18         14.398    2.54   1.43875    94.7        8.90
19        -11.156  (可変)                          9.20
20        -41.129    1.91   1.64933    55.4       10.40
21        -11.921    1.37                         10.50
22        -10.680    0.55   1.83451    42.9       10.00
23         17.694    0.50                         10.70
24         21.602    2.00   1.80810    22.8       11.30
25       -253.504  (可変)                         11.70
26          ∞       0.80   1.51633    64.1       30.00
27          ∞     (可変)                         30.00
像面        ∞   
非球面データ
第7面
K = 1.17096e-001  A 4=-2.68856e-005  A 6= 5.01461e-009  A 8=-2.55229e-009  
第13面
K =-4.05735e-002  A 4=-1.12176e-004  A 6=-1.28983e-007  A 8=-5.30669e-010  A10=-1.04384e-010  
第14面
K = 0.00000e+000  A 4= 1.21133e-004  A 6=-5.50201e-008  
各種データ
ズーム比      9.47 
焦点距離       9.06    32.60    85.80    19.27  
Fナンバー      2.88     4.11     5.75     5.75  
画角          36.50    13.61     5.25     5.25  
像高           6.71     7.89     7.89     7.89  
レンズ全長    77.47    82.61    98.62    98.62  
BF             7.52     9.52    20.75    26.52  
倍率          -0.00    -0.00    -0.00    -1.70  
物体距離       ∞       ∞       ∞     -30.00  
d 5            0.50    19.20    32.11     0.49  
d11           25.18     2.83     0.75     0.75  
d12            4.13     4.22     0.25     0.25  
d17            2.47     2.79     2.89     2.89  
d19            3.86    10.24     8.07    33.92  
d25            5.99     8.00    19.22    25.00  
d27            1.00     1.00     1.00     1.00  
(数値実施例７)
面データ
面番号       r        d      nd         vd       有効径
1         85.886    1.20   2.00100    29.1       31.30
2         38.737    4.24   1.49700    81.5       30.40
3       2938.166    0.05                         30.40
4         46.431    3.49   1.80400    46.6       30.20
5      -1082.449  (可変)                         29.90
6      -2606.269    0.80   1.85135    40.1       19.80
7*        11.952    5.13                         15.60
8        -18.329    0.60   1.77250    49.6       15.20
9       1030.040    0.10                         15.40
10         44.022    1.80   1.98738    16.4       15.50
11       -124.999  (可変)                         15.40
12(絞り)    ∞     (可変)                          9.73
13*         9.794    3.38   1.51633    64.1       11.60
14*       -31.358    2.61                         11.20
15         15.077    2.01   1.67270    32.1        9.10
16        -31.886    0.50   2.00100    29.1        8.40
17          8.863  (可変)                          7.70
18         15.740    2.46   1.49700    81.5        9.00
19        -12.831  (可変)                          9.20
20       -131.427    2.18   1.59270    35.3        9.80
21        -10.817    0.60                          9.90
22        -11.284    0.55   1.90043    37.4        9.40
23         12.629    0.50                          9.90
24         20.752    2.00   1.80810    22.8       10.10
25        -88.880  (可変)                         10.60
26          ∞       0.80   1.51633    64.1       30.00
27          ∞     (可変)                         30.00
像面        ∞   
非球面データ
第7面
K = 3.67989e-001  A 4=-2.48891e-005  A 6=-1.54819e-008  A 8=-2.44167e-009  
第13面
K =-5.64857e-001  A 4=-2.69534e-005  A 6= 6.18255e-007  A 8=-9.18844e-010  A10= 4.86616e-011  
第14面
K = 0.00000e+000  A 4= 1.05028e-004  A 6= 1.54412e-007  
各種データ
ズーム比     13.25 
焦点距離       9.06    29.62   120.10    16.13  
Fナンバー      2.88     3.91     5.81     5.81  
画角          36.50    14.91     3.76     3.76  
像高           6.71     7.89     7.89     7.89  
レンズ全長    83.13    85.37   102.89   102.89  
BF             8.94     9.45    21.91    16.98  
倍率          -0.00    -0.00    -0.00    -1.70  
物体距離       ∞       ∞       ∞     -31.35  
d 5            0.49    18.14    35.03     0.49  
d11           26.66     4.51     0.27     0.27  
d12            7.20     6.93     0.48     0.48  
d17            1.44     2.08     2.72     2.72  
d19            4.20    10.06     8.29    47.75  
d25            7.42     7.92    20.38    15.45  
d27            1.00     1.00     1.00     1.00  
(数値実施例８)
面データ
面番号       r        d      nd         vd       有効径
1         48.970    1.20   2.00100    29.1       29.70
2         31.085    3.91   1.49700    81.5       28.50
3        143.851    0.05                         28.20
4         37.686    3.26   1.72916    54.7       27.50
5        482.070  (可変)                         27.10
6        182.060    0.80   1.85135    40.1       18.10
7*        10.481    4.71                         13.90
8        -16.862    0.60   1.88300    40.8       13.50
9       3035.556    0.10                         13.60
10         43.185    1.80   1.98738    16.4       13.70
11        -68.356  (可変)                         13.60
12(絞り)    ∞     (可変)                          8.10
13*         7.845    2.65   1.59201    67.0        9.00
14*       -46.503    1.29                          8.70
15         15.805    1.99   1.85478    24.8        7.50
16        -13.030    0.50   2.05090    26.9        6.90
17          6.962  (可変)                          6.20
18         11.552    2.27   1.49700    81.5        7.00
19        -10.569  (可変)                          7.40
20        -36.435    2.07   1.54814    45.8        9.50
21         -9.805    1.39                          9.80
22         -8.869    0.55   1.88300    40.8        9.40
23         17.945    0.50                         10.60
24         21.362    2.00   1.80810    22.8       11.80
25        -95.669  (可変)                         12.30
26          ∞       0.80   1.51633    64.1       30.00
27          ∞     (可変)                         30.00
像面        ∞   
非球面データ
第7面
K = 4.70729e-001  A 4=-5.27560e-005  A 6= 8.49880e-008  A 8=-9.41979e-009  
第13面
K =-1.45846e-001  A 4=-1.12571e-004  A 6= 4.13064e-007  A 8= 6.85594e-009  A10=-1.08636e-010  
第14面
K = 0.00000e+000  A 4= 1.62306e-004  A 6= 2.75641e-007  
各種データ
ズーム比      9.47 
焦点距離       9.06    50.89    85.80    15.49  
Fナンバー      2.88     4.75     5.75     5.75  
画角          36.50     8.81     5.25     5.25  
像高           6.71     7.89     7.89     7.89  
レンズ全長    64.85    77.21    84.83    84.83  
BF             4.74    10.27    17.89    19.03  
倍率          -0.00    -0.00    -0.00    -1.70  
物体距離       ∞       ∞       ∞     -28.22  
d 5            0.50    22.52    27.43     0.49  
d11           19.05     0.78     0.51     0.51  
d12            2.88     2.18     0.26     0.26  
d17            1.37     1.70     1.79     1.79  
d19            4.66     8.11     5.30    31.09  
d25            3.21     8.75    16.36    17.50  
d27            1.00     1.00     1.00     1.00  
【００７４】
【表１】
2020030252.tif 000003
【００７５】
次に各実施例に示したようなズームレンズを撮影光学系として用いたデジタルスチルカメラの実施形態を図１７を用いて説明する。
【００７６】
図１７において、２０はカメラ本体、２１は実施例１〜７で説明したいずれかのズームレンズによって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。２３は固体撮像素子２２によって光電変換された被写体像に対応する情報を記録するメモリである。２４は液晶ディスプレイパネル等によって構成され、固体撮像素子２２上に形成された被写体像を観察するためのファインダである。
【００７７】
このように本発明のズームレンズをデジタルスチルカメラ等の撮像装置に適用することにより、小型、高性能でありながら、高倍率なズームレンズを有する撮像装置が実現できる。
【符号の説明】
【００７８】
Ｂ１  第１レンズ群、Ｂ２  第２レンズ群、Ｂ３  第３レンズ群、Ｂ４  第４レンズ群、
Ｂ５  第４レンズ群、ｄ  ｄ線、ｇ  ｇ線、ΔＭ  メリディオナル像面、
ΔＳ  サジタル像面、ＩＰ  撮像面、ＳＰ  絞り、
ＧＢ  ＣＣＤのフォースプレートやローパスフィルター等のガラスブロック、
ω  半画角、ｆｎｏ  Ｆナンバー
【図１】
2020030252.tif 000004
【図２】
2020030252.tif 000005
【図３】
2020030252.tif 000006
【図４】
2020030252.tif 000007
【図５】
2020030252.tif 000008
【図６】
2020030252.tif 000009
【図７】
2020030252.tif 000010
【図８】
2020030252.tif 000011
【図９】
2020030252.tif 000012
【図１０】
2020030252.tif 000013
【図１１】
2020030252.tif 000014
【図１２】
2020030252.tif 000015
【図１３】
2020030252.tif 000016
【図１４】
2020030252.tif 000017
【図１５】
2020030252.tif 000018
【図１６】
2020030252.tif 000019
【図１７】
2020030252.tif 000020